(57)【要約】【課題】発信者のいる国を使用者が容易に識別することができる通信端末装置を提供する。【解決手段】表示装置３と、発信者番号通知を受信する送受信部２と、前記発信者番号通知から国番号を抽出する国番号抽出部４ａと、国旗の画像データ及び国名の文字データを国番号に対応させて予め記憶する不揮発性メモリ５と、国番号抽出部４ａによって抽出された国番号に対応する国旗の画像データ及び国名の文字データを不揮発性メモリ５から読み出して表示装置３に表示させる中央制御装置４と、を備える通信端末装置。【選択図】      図１
2004343380.tif 000002
【特許請求の範囲】
【請求項１】
表示手段と、
発信者番号通知を受信する受信手段と、
前記受信手段によって受信される発信者番号通知から国番号を抽出する国番号抽出手段と、
国番号毎の画像を予め記憶する記憶手段と、
前記国番号抽出手段によって抽出された国番号に対応する画像を前記記憶手段から読み出して前記表示手段に表示させる制御手段と、
を備えることを特徴とする通信端末装置。
【請求項２】
前記記憶手段が国番号毎の画像及び国名を予め記憶し、前記制御手段が前記国番号抽出手段によって抽出された国番号に対応する画像及び国名を前記記憶手段から読み出して前記表示手段に表示させる請求項１に記載の通信端末装置。
【発明の詳細な説明】
【０００１】
【発明の属する技術分野】
本発明は、発信者番号通知を受信する通信端末装置に関する。
【０００２】
【従来の技術】
近年電話機等の通信端末装置においては、着呼の際に発信者番号通知を受信して当該発信者番号を表示装置に表示するタイプのものが一般的になっている。そして、このような通信端末装置が国際着呼を受けた場合、発信者のいる国の国番号が先頭に位置する発信者番号が表示装置に表示される。ところが、通信端末装置の使用者が国番号に対応する国名を記憶していないと、発信者番号が表示されても使用者は発信者のいる国を識別することができなかった。
【０００３】
かかる問題点を解消することができる通信端末装置として、例えば特許文献１に開示されている通信機が挙げられる。特許文献１に開示されている通信機は、国際着呼があると発信者の電話番号により国コードを識別し、その国コードに対応する国名を表示器に表示させる機能を有しており、発信者のいる国を文字情報によって使用者に知らせることができる。
【０００４】
【特許文献１】
特開平１１−３４１１３５号公報
【特許文献２】
特開平１０−１５５０２８号公報
【特許文献３】
特開２００１−２８５９３９号公報
【０００５】
【発明が解決しようとする課題】
しかしながら、特許文献１に開示されている通信機を含む通信端末装置は通常一つの言語による文字情報しか表示できない。したがって、使用者が母国以外の国において母国語以外の言語による文字情報しか表示することができない通信機を用いる場合がある。そして、この場合に使用者が用いる通信機が特許文献１に開示されているように国名を文字情報で提供するだけでは使用者が文字情報を理解できず発信者のいる国を識別できない可能性があった。
【０００６】
本発明は、上記の問題点に鑑み、発信者のいる国を使用者が容易に識別することができる通信端末装置を提供することを目的とする。
【０００７】
【課題を解決するための手段】
上記目的を達成するために、本発明に係る通信端末装置においては、表示手段と、発信者番号通知を受信する受信手段と、前記受信手段によって受信される記発信者番号通知から国番号を抽出する国番号抽出手段と、国番号毎の画像を予め記憶する記憶手段と、前記国番号抽出手段によって抽出された国番号に対応する画像を前記記憶手段から読み出して前記表示手段に表示させる制御手段と、を備える構成とする。
【０００８】
このような構成によると、国際着呼があった場合、発信者のいる国に関連する画像（例えば、発信者のいる国の国旗の画像や発信者のいる国の名所の画像等）が表示手段に表示されるので、当該通信端末装置が使用者の母国語以外の言語による文字情報しか表示することができないとしても、発信者のいる国を使用者が容易に識別することができる。
【０００９】
また、上記構成の通信端末装置に置いて、前記記憶手段が国番号毎の画像及び国名を予め記憶し、前記制御手段が前記国番号抽出手段によって抽出された国番号に対応する画像及び国名を前記記憶手段から読み出して前記表示手段に表示させるようにしてもよい。
【００１０】
このような構成によると、発信者のいる国に関連する画像の表示以外に国名の文字表示もされるので、当該通信端末装置が使用者の母国語の言語による文字情報を表示する場合や当該通信端末装置が使用者の母国語以外の言語による文字情報しか表示することができないがその文字情報を使用者が理解できる場合等において、発信者のいる国を使用者がより確実に識別することができる。
【００１１】
【発明の実施の形態】
以下に本発明の一実施形態について図面を参照して説明する。本発明に係る通信端末装置として、ここでは携帯電話機を例に挙げて説明を行う。本発明に係る携帯電話機の構成を図１に示す。
【００１２】
本発明に係る携帯電話機は、「０」〜「９」の各数字が割り当てられるテンキー及びそれぞれに異なる機能が割り当てられた機能キー等によって構成されるキー群である入力キー１と、発信者番号通知の受信や音声データの送受信等を行う送受信部２と、ＬＣＤ（Ｌｉｑｕｉｄ  Ｃｒｙｓｔａｌ  Ｄｉｓｐｌａｙ）等の表示装置３と、携帯電話機全体の動作を制御する中央制御装置４と、不揮発性メモリ５と、カメラ部６と、音声を入力してその音声を音声データに変換するマイク部７と、着信時に着信メロディを出力する機能及び送受信部２が受信した音声データを音声として出力する機能を有するスピーカ部８と、を備えるカメラ付き携帯電話機である。
【００１３】
中央制御装置４は、送受信部２によって受信される発信者番号通知から発信者番号の先頭に位置する国番号を抽出する国番号抽出部４ａを有している。
【００１４】
また、不揮発性メモリ５は、携帯電話機の動作プログラム、表示用フォントデータ、国番号テーブルデータ、画像ライブラリ、及びＷｅｂブラウザソフトウェア等を格納している。国番号テーブルデータは、国番号毎に国番号に対応する国名の文字データ及び画像データを有するテーブルデータであり、デフォルトの画像データは国旗の画像データである。画像ライブラリは、カメラ部６によって撮影された画像データやＷｅｂサイトからダウンロードした画像データや予め格納されている各国の名所のサンプル画像等からなる。なお、画像ライブラリを構成する個々の画像データの追加や削除を可能とするために、不揮発性メモリ５をフラッシュメモリやＥＥＰＲＯＭ［Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ］等の書き換え可能な不揮発性メモリにしている。
【００１５】
以下、このような構成の携帯電話機の動作について説明する。まず、カメラ撮影時の動作について説明する。入力キー１のカメラモードに切り替わる機能が割り当てられたキーが押下されると、入力キー１の出力に基づいて中央制御装置２はカメラ部６を起動させ、カメラ部６から出力される画像データを表示装置３に送って表示装置３に画像を表示させる。そして、入力キー１のシャッター機能が割り当てられたキーが押下されると、入力キー１の出力に基づいて中央制御装置２はカメラ部６に撮影動作をさせ、カメラ部６から出力される撮影画像データを画像ライブラリの一データとして不揮発性メモリ５に記憶させるとともに表示装置３に送って表示装置３に撮影画像を表示させる。
【００１６】
次に、画像データダウンロード時の動作について説明する。入力キー１のＷｅｂ接続機能が割り当てられたキーが押下されると、入力キー１の出力に基づいて中央制御装置２は不揮発性メモリ５に格納されているＷｅｂブラウザソフトウェアを起動させ、送受信部２をインターネット経由でＷｅｂサイトサーバに接続させる。そして、入力キー１のダウンロード機能が割り当てられたキーが押下されると、入力キー１の出力に基づいて中央制御装置２はインターネット及び送受信部２を介して接続しているＷｅｂサイトサーバから画像データをダウンロードして不揮発性メモリ５に画像ライブラリの一データとして記憶させる。
【００１７】
次に、国番号テーブルデータ変更時の動作について図２のフローチャートを参照して説明する。入力キー１の国番号テーブルデータ変更モードに切り替わる機能が割り当てられたキーが押下されると、入力キー１の出力に基づいて中央制御装置４は画像ライブラリを構成する画像データのリスト（以下、画像ライブラリリストという）を表示装置３に表示させる（ステップＳ１０）。なお、画像ライブラリリストは画像ファイル名表示のリストでもよいが、使用者が文字を理解できなくても容易に画像ライブラリリストの内容を認識できるようにサムネイル画像にすることが好ましい。また、使用者がより確実に画像ライブラリリストの内容を認識できるようにサムネイル画像とともに画像ファイル名を表示するようにしてもよい。
【００１８】
続くステップＳ２０において、中央制御装置４は、入力キー１の出力に基づいて画像ライブラリリストから画像データが選択されたかを判定する。画像ライブラリリストからの画像データの選択は、使用者が入力キー１の特定のキー、例えば上下キーを操作して画像ライブラリリストの中から所望の画像データを選択し、さらに入力キー１の選択決定機能が割り当てられたキーを押すことでその選択を決定することによってなされる。
【００１９】
画像ライブラリリストから画像データが選択されたと判定されれば（ステップＳ２０のＹｅｓ）、中央制御装置４は国番号テーブルデータの画像データのリストを表示装置３に表示させる（ステップＳ３０）。なお、国番号テーブルデータの画像データのリストは画像ファイル名（例えば、日章旗、星条旗等）表示のリストや画像ファイルに対応する国番号又は国名表示のリストでもよいが、使用者が文字や国番号を理解できなくても容易に当該リストの内容を認識できるようにサムネイル画像にすることが好ましい。使用者がより確実に当該リストの内容を認識できるようにサムネイル画像とともに画像ファイル名、画像ファイルに対応する国番号、及び画像ファイルに対応する国名の少なくとも一つを表示するようにしてもよい。
【００２０】
続くステップＳ３０において、中央制御装置４は、入力キー１の出力に基づいて国番号テーブルデータの画像データのリストから画像データが選択されたかを判定する。国番号テーブルデータの画像データのリストからの画像データの選択は、使用者が入力キー１の特定のキー、例えば上下キーを操作して国番号テーブルデータの画像データのリストの中から所望の画像データを選択し、さらに入力キー１の選択決定機能が割り当てられたキーを押すことでその選択を決定することによってなされる。
【００２１】
国番号テーブルデータの画像データのリストから画像データが選択されたと判定されれば（ステップＳ４０のＹｅｓ）、中央制御装置４は、ステップＳ２０で選択された画像データとステップＳ４０で選択された画像データを互いに入れ替えて不揮発性メモリ５に記憶させる（ステップＳ５０）。
【００２２】
以上の動作により、デフォルトで国番号テーブルデータの画像データとして用いられている国旗の画像と撮影やダウンロード等によって画像ライブラリに格納されている画像データとを入れ替えることが可能となる。例えば、アメリ合衆国国旗の画像データの代わりに撮影やダウンロード等によって得られた自由の女神の画像データを国番号テーブルデータの画像データとして用いたり、フランス国旗の画像データの代わりに撮影やダウンロード等によって得られたエッフェル塔の画像データを国番号テーブルデータの画像データとして用いたりすることができる。国旗はあまり知らないが各国の名所等を知っている者が使用する場合は、このように画像データを入れ替えることで、発信者のいる国を使用者が容易に識別することができる。
【００２３】
次に、着呼時の動作について図３のフローチャートを参照して説明する。送受信部２はいわゆる間欠受信を行っている。送受信部２が着呼通知を受信すると、着呼通知があった旨が送受信部２から中央制御装置４に伝えられ図１の携帯電話機は図３のフローチャートに示す動作を開始する。
【００２４】
送受信部２は着呼通知後に発信者番号通知があれば、その発信者番号通知を受信する。中央制御装置４は、送受信部２からの出力に基づいて着呼通知後に送受信部２が発信者番号通知を受信したかを判定する（ステップＳ１１０）。送受信部２が発信者番号通知を受信したと判定されれば（ステップＳ１１０のＹｅｓ）、中央制御装置４内の国番号抽出部４ａが発信者番号の先頭に国番号が有るかを判定する（ステップＳ１２０）。一方、送受信部２が発信者番号通知を受信したと判定されなければ（ステップＳ１１０のＮｏ）、後述するステップＳ１５０に移行する。
【００２５】
ステップＳ１２０において発信者番号の先頭に国番号が有ると判定されれば（ステップＳ１２０のＹｅｓ）、国番号抽出部４ａは発信者番号から国番号を抽出する。例えば、発信者番号が国際電話番号「４４−ＸＸＸ−ＸＸＸＸ」であると仮定すると、国番号抽出部４ａは国際電話番号の先頭の国番号「４４」を抽出する。そして、この抽出動作後に中央制御装置４は、国番号抽出部４ａによって抽出された国番号と不揮発性メモリ５に格納されている国番号テーブルデータとを比較して国番号抽出部４ａによって抽出された国番号に対応する国名の文字データ及び画像データを不揮発性メモリ５から読み出し（ステップＳ１３０）、その読み出した国名の文字データ及び画像データに基づいて国名及び画像を表示装置３に表示させる（ステップＳ１４０）。一方、ステップＳ１２０において発信者番号の先頭に国番号が有ると判定さなければ（ステップＳ１２０のＮｏ）、後述するステップＳ１５０に移行する。
【００２６】
ステップＳ１５０では、中央制御装置４は、スピーカ部８に着信メロディを出力させる等の着信報知を行うとともに、入力キー１の応答機能が割り当てられたキー（以下、応答キーという）が押下されたかを判定する。なお、着信報知開始から所定の期間内に応答キーが押下されなければ、フローを抜けて留守番録音モードに切り替わるようにすればよい。
【００２７】
そして、応答キーが押下されたと判定されれば（ステップＳ１５０のＹｅｓ）、携帯電話機は通話動作を行う（ステップＳ１６０）。通話動作については通常の電話機と同一の動作であるので、説明を省略する。
【００２８】
以上のような動作を行うので、国際着呼時に発信者番号通知があれば、受信者のいる国に関連する画像（発信者のいる国の国旗の画像や発信者のいる国の名所の画像等）が表示装置３に表示される。これにより、携帯電話機が使用者の母国語以外の言語による文字情報しか表示することができないとしても、発信者のいる国を使用者が容易に識別することができる。また、国際着呼時に発信者番号通知があれば、受信者のいる国に関連する画像以外に国名も表示装置３に表示されるので、携帯電話機が使用者の母国語の言語による文字情報を表示する場合や携帯電話機が使用者の母国語以外の言語による文字情報しか表示することができないがその文字情報を使用者が理解できる場合等において、発信者のいる国を使用者がより確実に識別することができる。
【００２９】
なお、本実施形態で画像ライブラリはを構成する個々の画像データの追加や削除を可能とするために不揮発性メモリ５を書き換え可能な不揮発性メモリにしたが、画像ライブラリ及び国番号テーブルデータの変更を必要としない場合は、不揮発性メモリ５を書き換え不可能な不揮発性メモリにしてもよい。また、本実施形態では携帯電話機を例に挙げて説明したが、本発明はこれに限定されることはなく、例えばＰＨＳ［Ｐｅｒｓｏｎａｌ  Ｈａｎｄｙ  Ｐｈｏｎｅ  Ｓｙｓｔｅｍ］端末装置や固定電話機も本発明に含まれる。
【００３０】
【発明の効果】
本発明によると、発信者のいる国を使用者が容易に識別することができる通信端末装置を実現することができる。
【図面の簡単な説明】
【図１】本発明に係る携帯電話機の構成を示す図である。
【図２】本発明に係る携帯電話機の国番号テーブルデータ変更動作を示すフローチャートである。
【図３】本発明に係る携帯電話機の着呼動作を示すフローチャートである。
【符号の説明】
１  入力キー
２  送受信部
３  表示装置
４  中央制御装置
４ａ  国番号抽出部
５  不揮発性メモリ
６  カメラ部
７  マイク部
８  スピーカ部
【図１】
2004343380.tif 000003
【図２】
2004343380.tif 000004
【図３】
2004343380.tif 000005